(57)【要約】【課題】超音波美容器において、トリートメント肌面における出入りの大きい凹凸部分にヘッド部を押し当てたときでも、該ヘッド部が肌面の広面積範囲に隙間なしに接触するようにする。【解決手段】器体ケース１の下面部に超音波振動するヘッド部２を設けた超音波美容器において、ヘッド部２に、該ヘッド部２下面の肌接触部２２をトリートメント肌面の凹凸面に沿って撓み変形可能な可撓面とし且つ内部に液体Ｗを封入した中空可撓部材２１を使用しているとともに、中空可撓部材２１内に、その内部の液体Ｗを超音波振動させ得る超音波振動子３４を設置していることにより、ヘッド部２の肌接触部２２をトリートメント肌面Ｆに押し当てることで、一度に（一箇所の押し当てで）肌面Ｆの広面積範囲を効率よくトリートメントできるようにしている。【選択図】  図４
2017077310.tif 000002
【特許請求の範囲】
【請求項１】
器体ケース（１）の下面部に超音波振動するヘッド部（２）を設けた超音波美容器であって、
上記ヘッド部（２）に、該ヘッド部（２）下面の肌接触部（２２）をトリートメント肌面（Ｆ）の凹凸面に沿って撓み変形可能な可撓面とし且つ内部に液体（Ｗ）を封入した中空可撓部材（２１）を使用しているとともに、
上記中空可撓部材（２１）内に、その内部の液体（Ｗ）を超音波振動させ得る超音波振動子（３４）を設置している、
ことを特徴とする超音波美容器。
【発明の詳細な説明】
【技術分野】
【０００１】
本願発明は、超音波による振動作用によって肌面（主として顔肌）のトリートメントを行えるようにした超音波美容器に関するものである。尚、以下の説明では、「トリートメントすべき肌面」を単に「トリートメント肌面」ということがある。
【背景技術】
【０００２】
この種の超音波美容器は、肌面に接触させるヘッド部内に超音波振動子を設け、該超音波振動子を超音波発生器で励振させることによってヘッド部を超音波振動させるようにしたものである。そして、この超音波美容器は、超音波振動させたヘッド部をトリートメント肌面に当てることで、肌表層の血行を促進させて細胞を活性化させるとともに、肌の皺やタルミを除去する等の機能を有するものである。
【０００３】
ところで、近年、この種の超音波美容器として、家庭で手軽に使用できるハンディタイプのものが多数市販されているが、その一例として図６に示すものがある。尚、この図６の超音波美容器は、特開２０００−２３３００５号公報（特許文献１）に示されるものである。
【０００４】
図６（公知）の超音波美容器は、把持部１１１を有する器体ケース１０１の先端部に超音波振動するヘッド部１０２を取付けている。このヘッド部１０２は、ステンレス又はアルミニウム合金等の金属製で、その先端面（ヘッド面１０２ａ）は変形しない平坦面となっている。そして、この超音波美容器は、ヘッド部１０２の先端面（ヘッド面１０２ａ）の内側に取付けた超音波振動子１３４を超音波発生器（図示省略）で超音波振動させることにより、ヘッド部１０２を超音波振動させ得るようになっている。
【０００５】
そして、この超音波美容器は、図７に示すように、トリートメント肌面Ｆにヘッド部１０２（ヘッド面１０２ａ）を軽く押し当てることによって、ヘッド部接触部分の肌面を超音波振動でトリートメント（マッサージ）することができるものである。
【先行技術文献】
【特許文献】
【０００６】
【特許文献１】特開２０００−２３３００５号公報
【発明の概要】
【発明が解決しようとする課題】
【０００７】
ところが、上記した図６（公知）の超音波美容器では、ヘッド部１０２が金属製でヘッド面１０２ａが変形しない平坦面となっているので、図７に示すようにトリートメント肌面Ｆに出入りの大きい凹凸部分があると、ヘッド面１０２ａが肌面Ｆに対して部分的にしか接触しないことがある。即ち、例えば図７における頬骨部分（及び鼻や顎）のような肌面凸部Ｆａや、鼻の付け根部の肌面凹部Ｆｂ等に美容器のヘッド面１０２ａを押し当てたときには、該ヘッド面１０２ａの面積の一部（肌面凸部Ｆａではヘッド面外周部分、肌面凹部Ｆｂではヘッド面の中央部分、）が肌面に接触しない事態が発生し、その場合にはヘッド面１０２ａから肌面への超音波振動波の付与効率（トリートメント機能）が低くなるという問題があった。
【０００８】
ところで、この種の超音波美容器において、ヘッド部１０２からの超音波をトリートメント肌面Ｆに効率よく伝達させるには、上記のようにヘッド部１０２のヘッド面１０２ａとトリートメント肌面Ｆとの接触面積を大きくすることが有効である。そして、従来では、ヘッド面１０２ａとトリートメント肌面Ｆとの間にジェルを介在させる（トリートメント肌面にジェルを塗る）ことによって、ヘッド面１０２ａが直接肌面に接触していない部位であっても該ジェルを介してヘッド面１０２ａとトリートメント肌面Ｆとを間接接触させることにより機能有効面積を大きくできるようになっている。
【０００９】
ところが、このように機能有効面積を大きくするために、ヘッド面１０２ａとトリートメント肌面Ｆとの間にジェルを介在させるのは、該ジェルが必要である（コストがかかる）とともに、トリートメント肌面Ｆへのジェルの塗布やトリートメント後のジェル拭き取り等の作業が面倒であるという問題もあった。
【００１０】
そこで、本願発明は、トリートメント肌面における出入りの大きい凹凸部分に美容器のヘッド面を押し当てたときでも、該ヘッド面が肌面の広面積範囲に隙間なしに接触するようにした超音波美容器を提供することを目的としてなされたものである。
【課題を解決するための手段】
【００１１】
本願発明は、上記課題を解決するための手段として次の構成を有している。尚、本願発明は、超音波による振動作用によって肌（主として顔肌）のトリートメントを行えるようにした超音波美容器を対象にしたものである。
【００１２】
そして、本願発明は、添付の図１〜図５に例示するように、器体ケース１の下面部に超音波振動するヘッド部２を設けた超音波美容器において、上記ヘッド部２に、該ヘッド部２下面の肌接触部２２をトリートメント肌面Ｆの凹凸面に沿って撓み変形可能な可撓面とし且つ内部に液体Ｗを封入した中空可撓部材２１を使用しているとともに、上記中空可撓部材２１内にその内部の液体Ｗを超音波振動させ得る超音波振動子３４を設置していることを特徴としている。
【００１３】
本願発明の超音波美容器は、器体ケース１部分を手で把持して、その下面部のヘッド部２をトリートメント肌面Ｆに押し当てて使用するものである。
【００１４】
ヘッド部２は、その下面の肌接触部２２が撓み変形可能な可撓面であり且つ内部に液体Ｗを封入した中空可撓部材２１を使用しているので、ヘッド部２の肌接触部２２をトリートメント肌面Ｆに押し当てると（図５参照）、肌面凸部（頬骨、鼻、顎等）Ｆａでは該凸部で肌接触部２２（可撓面）が押されて凹入する（図５の凹入部２２ａ参照）一方、その凹入した体積量だけ可撓面２２の他の部分が突出する（図５の突出部２２ｂ参照）ようになる。従って、ヘッド部２の肌接触部２２をトリートメント肌面Ｆに押し当てたときには、該肌接触部（可撓面）２２の広面積範囲が肌面Ｆの凹凸面に沿って隙間なしに接触するようになる。
【００１５】
中空可撓部材２１の材料としては、特に限定するものではないがシリコンゴムが好適である。又、該中空可撓部材２１内に封入している液体Ｗとしては、グリセリン液が好適である。尚、上記シリコンゴム及び上記グリセリン液は、いずれも超音波の伝達性が良好なものである。
【００１６】
この超音波美容器において、電源３１及び超音波振動子３４を励振させるための超音波発生器３２は、器体ケース１外のものを使用してもよいが、器体ケース１内に内蔵したものでもよい。又、電源３１及び超音波振動子３４を器体ケース１内に内蔵したものでは、電源３１として電池が使用されるが該電池は充電式のもの（蓄電池）を使用することができる。尚、器体ケース１の適所には、この美容器の作動用のスイッチ３３を設けておくとよい。
【００１７】
そして、中空可撓部材２１内に設置している超音波振動子３４を超音波振動させると、中空可撓部材２１内の液体Ｗを介してヘッド部２の下面部分となる肌接触部２２の全面積範囲を超音波振動させることができる。
【００１８】
本願発明の超音波美容器を使用して肌のトリートメントをするには、器体ケース１部分を手で把持してスイッチ３３をＯＮにし、中空可撓部材２１の下面（肌接触部２２）をトリートメント肌面Ｆ（例えば顔肌）に押し当てる。
【００１９】
すると、ヘッド部２の肌接触部２２が可撓面となっているので、トリートメント肌面Ｆに出入りの大きい凹凸面があっても、該肌接触部２２をトリートメント肌面Ｆに押し当てたときに肌接触部２２が凹凸肌面に沿って撓んで、該肌接触部２２が広面積範囲の肌面Ｆに隙間なしに接触するようになる。尚、肌面Ｆに接触させている肌接触部２２を肌面Ｆに沿って移動させると、該肌面Ｆの凹凸に対応して肌接触部２２が自由に撓み変形していき、該肌接触部２２の広面積範囲が常に凹凸肌面Ｆに密着するようになる。
【００２０】
このように、ヘッド部２の肌接触部２２がトリートメント肌面Ｆに常に密着する場合には、ヘッド部２（肌接触部２２）とトリートメント肌面Ｆとの間にジェルを介在させなくてもよい。尚、本願の超音波美容器の使用に際して、従来の手法と同様にトリートメント肌面Ｆにジェルを塗布して行うことは当然に許容されるものである。
【００２１】
他方、超音波振動子３４からの超音波振動は中空可撓部材２１内の液体Ｗを介して肌接触部２２の全面積範囲に伝達されており、該肌接触部２２におけるトリートメント肌面Ｆに接触している全面積部分から超音波振動によるトリートメント作用を付与できる。
【発明の効果】
【００２２】
本願発明の超音波美容器は、上記のように、ヘッド部２の肌接触部２２が可撓面となっているので、該肌接触部２２をトリートメント肌面Ｆに押し当てると、該トリートメント肌面Ｆに出入りの大きい凹凸面があっても、該肌接触部２２が凹凸肌面に沿って撓んで、該肌接触部２２が広面積範囲の肌面Ｆに対して隙間なしに接触する。尚、肌接触部２２には、その全面積範囲に中空可撓部材２１内の超音波振動子３４からの超音波振動が伝達されている。
【００２３】
従って、本願発明の超音波美容器では、ヘッド部２の肌接触部２２をトリートメント肌面Ｆに押し当てることで、一度に（一箇所の押し当てで）肌面Ｆの広面積範囲をトリートメントできる（トリートメント効率が高い）という効果がある。
【００２４】
又、このように、ヘッド部２の肌接触部２２が広面積範囲の肌面Ｆに対して隙間なしに接触するものでは、肌接触部２２とトリートメント肌面Ｆとの間にジェルを介在させなくても両者（肌接触部２２とトリートメント肌面Ｆ）を常に効率よく接触させることができるので、この超音波美容器の使用に際してジェルを不要にできる（コスト軽減になる）とともに、該ジェルの塗布作業や拭き取り作業の手間も不要になるという効果がある。
【００２５】
さらに、ヘッド部２の肌接触部２２を肌面Ｆに押し当てると、該肌接触部２２が肌面Ｆの抵抗によって凹入するので、ヘッド部２の肌接触部２２に弾力が発生し、該ヘッド部２を肌面Ｆに押し当てたときの接触感覚が良好となる（ソフト感が出る）という効果もある。
【図面の簡単な説明】
【００２６】
【図１】本願実施例の超音波美容器の正面図である。
【図２】図１の底面図である。
【図３】図１の右側面図である。
【図４】図３のIV−IV断面図である。
【図５】本願実施例の超音波美容器における使用時の機能説明図である。
【図６】公知（特許文献１）の超音波美容器の構造説明図である。
【図７】図６の超音波美容器における使用時の機能説明図である。
【発明を実施するための形態】
【００２７】
図１〜図５を参照して本願実施例の超音波美容器を説明すると、この実施例の超音波美容器は、ハンディタイプのもので、図１〜図４に示すように把持部１１となる器体ケース１の下面部に超音波振動するヘッド部２を設けて構成されている。
【００２８】
この実施例の超音波美容器は、平面視（及び底面視）で図２に示すような長円形の形状を呈し、全体高さが例えば７０mm程度の大きさのものを採用している。尚、この超音波美容器の上記形状及び大きさは、特に限定するものではなく、適宜に設計変更可能なものである。
【００２９】
上部側の器体ケース１は、プラスチック製で手で把持できる大きさの逆容器形の形状で、例えば５０mm程度の高さを有した把持部１１を設けている。この器体ケース１（把持部１１）の下面部には、小段差（例えば５mm程度）の凹み部分を残した状態で底板１２が設けられている。
【００３０】
下部側のヘッド部２は、器体ケース１の下面部の凹み部分に過不足なく収容される大きさの平面視（底面視）長円形で、例えば２５mm程度の高さを有した中空可撓部材２１が使用されている。
【００３１】
この中空可撓部材２１には、可撓性を有するシリコンゴムが使用されている。尚、シリコンゴムは、肌の凹凸面に沿い易い柔軟性を有しているとともに、超音波振動の伝達性が良好な材料である。
【００３２】
中空可撓部材２１の内部には、液体Ｗが封入されている。この液体Ｗとしては、グリセリン液が好適である。尚、グリセリン液は、カビの発生などの腐敗が起こりにくいとともに、超音波振動の伝達性が良好な性状を有している。
【００３３】
そして、この中空可撓部材２１は、その上部側の小高さ範囲を器体ケース１の下面部の凹み部分に収容した状態で、該器体ケース１の下面部に組付けている。尚、中空可撓部材２１の上面は、器体ケース１の底板１２の下面に接着剤で接着・固定されている。
【００３４】
中空可撓部材２１の下面部は使用時に肌接触部２２となるが、この肌接触部２２は器体ケース１の下端面から例えば２０mm程度の高さだけ下方に突出している。そして、この肌接触部２２は、図４に鎖線図示（符号２２′）するように外面側から圧力Ａが加わると撓み変形する可撓面となっている。尚、肌接触部２２の一部が凹入する（図５の凹入部２２ａ）と、その凹入した体積量だけ可撓面２２の他の部分が突出する（図５の突出部２２ｂ）ようになる。
【００３５】
中空可撓部材２１内には、その内部の液体（グリセリン液）Ｗを超音波振動させ得る超音波振動子３４を設置している。この超音波振動子３４は、直径が例えば３０mm程度の大きさの板状のものが使用されている。尚、この超音波振動子３４は、中空可撓部材２１の上面部の内面に固着させている。
【００３６】
器体ケース１内には、図４に示すように、超音波振動子３４を超音波振動させる電気回路３が収容されている。この電気回路３は、電池（蓄電池）３１と、超音波発生器３２と、スイッチ３３とを有している。器体ケース１の外面には、充電端子１５を露出させており、この美容器を充電器にセットすることで、蓄電池３１を充電できるようになっている。尚、充電端子１５と電池３１、該電池３１とスイッチ３３、該スイッチ３３と超音波発生器３２、該超音波発生器３２と超音波振動子３４、とはそれぞれリード線で接続されている。
【００３７】
この超音波美容器は、スイッチ３３をＯＮにすると、電池３１の電力で超音波発生器３２を作動させ、該超音波発生器３２で発生させた超音波を超音波振動子３４に伝達して、該超音波振動子３４を超音波振動させ得るようになっている。そして、超音波振動子３４が超音波振動すると、その超音波振動波が中空可撓部材２１内の液体（グリセリン液）Ｗを介して肌接触部２２の全面積範囲に伝達されるようになっている。
【００３８】
この実施例の超音波美容器を使用して肌のトリートメントをするには、図５に示すように、器体ケース１の把持部１１を手で把持してスイッチ３３をＯＮにし（超音波振動子３４が超音波振動する）、中空可撓部材２１の下面（肌接触部２２）をトリートメント肌面Ｆ（例えば顔肌）に押し当てる。
【００３９】
すると、ヘッド部２の肌接触部２２が可撓面となっているので、トリートメント肌面Ｆに出入りの大きい凹凸面（鼻、顎、頬骨等の肌面凸部Ｆａや鼻の付け根部の肌面凹部Ｆｂ等）があっても、該肌接触部２２をトリートメント肌面Ｆに押し当てたときに肌接触部２２が凹凸肌面（符号Ｆａ，Ｆｂ）に沿って撓んで（符号２２ａ，２２ｂ）、該肌接触部２２が広面積範囲の肌面Ｆに隙間なしに接触するようになる。
【００４０】
他方、超音波振動子３４からの超音波振動は中空可撓部材２１内の液体Ｗを介して肌接触部２２の全面積範囲に伝達されており、該肌接触部２２におけるトリートメント肌面Ｆに接触している広面積範囲から超音波振動によるトリートメント作用（マッサージ作用）を付与できる。
【００４１】
従って、この実施例の超音波美容器では、ヘッド部２の肌接触部２２をトリートメント肌面Ｆに押し当てることで、一度に（一箇所の押し当てで）肌面Ｆの広面積範囲を効率よく（隙間のない密着状態で）トリートメントできるという効果を有している。
【００４２】
さらに、このように、ヘッド部２の肌接触部２２が広面積範囲の肌面Ｆに対して隙間なしに接触するものでは、肌接触部２２とトリートメント肌面Ｆとの間にジェルを介在させなくても両者（肌接触部２２とトリートメント肌面Ｆ）を常に効率よく接触させることができるので、該ジェルを不要にできる（コスト軽減になる）とともに、該ジェルの塗布作業や拭き取り作業の手間も不要になるという効果もある。
【００４３】
又、ヘッド部２の肌接触部２２を肌面Ｆに押し当てると、該肌接触部２２が肌面Ｆの抵抗によって凹入するので、ヘッド部２の肌接触部２２に弾力が発生し、該ヘッド部２を肌面Ｆに押し当てたときの接触感覚が良好となる（ソフト感が出る）という効果もある。
【符号の説明】
【００４４】
１は器体ケース、２はヘッド部、１１は把持部、２１は中空可撓部材、２２は肌接触部、３１は蓄電池、３２は超音波発生器、３３はスイッチ、３４は超音波振動子、Ｗは液体（グリセリン液）である。
【図１】
2017077310.tif 000003
【図２】
2017077310.tif 000004
【図３】
2017077310.tif 000005
【図４】
2017077310.tif 000006
【図５】
2017077310.tif 000007
【図６】
2017077310.tif 000008
【図７】
2017077310.tif 000009